(57)【要約】      （修正有）【課題】対象者の存在する場所を限定することも対象者が特定の機器を身につける必要もなく、簡易な設備で対象者の発する情報を通報する通報システムを提供する。【解決手段】通報システム１０の監視対象領域１において圧電センサ１００は、圧力の変化を電圧値に変換し、打音検出装置２００は、圧電センサ１００によって検知した電圧値から打音の発生時刻を検出し、通信装置３００は、打音検出装置３００によって検出した打音の発生時刻を、ネットワークを介し接続する通報判断サーバ４００に送信する。通報判断サーバ４００の送受信部４０１は、打音の発生時刻を通信装置３００から受信し、通報判断部４０２は、受信した打音の発生時刻が予め定められた判断条件に合致するか否かを判断し、送受信部４０１は、打音の発生時刻が判断条件に合致すると判断した場合、通報情報を通報先５００に送信する。【選択図】図１
2018088047.tif 000002
【特許請求の範囲】
【請求項１】
圧力の変化を電圧値に変換する圧電センサと、
前記圧電センサによって検知した前記電圧値から打音の発生時刻を検出する打音検出装置と、
前記打音検出装置によって検出した前記打音の発生時刻を、ネットワークを介し接続する通報判断サーバに送信する通信装置と、を備え、
前記通報判断サーバは、
前記打音の発生時刻を前記通信装置から受信する受信手段と、
前記受信手段によって受信した前記打音の発生時刻が予め定められた判断条件に合致するか否かを判断する判断手段と、
前記判断手段によって前記打音の発生時刻が前記判断条件に合致すると判断した場合、通報情報を通報先に送信する送信手段と、を備えることを特徴とする通報システム。
【請求項２】
前記圧電センサは、ポリマーフォームに荷電気泡を内包するとともに、前記ポリマーフォームの両面を電極で積層すること、を特徴とする請求項１に記載の通報システム。
【請求項３】
前記打音検出装置は、前記圧電センサが検知した前記電圧値の急峻な変化を打音であると判断すること、を特徴とする請求項１または請求項２に記載の通報システム。
【請求項４】
前記通報判断サーバは、前記判断条件として通報を意図する打音パターンを記憶する判断条件記憶手段、をさらに備え、
前記判断手段は、前記打音の発生時刻が前記判断条件記憶手段に記憶する前記打音パターンに合致するか否かを判断すること、を特徴とする請求項１〜３のいずれか１つに記載の通報システム。
【請求項５】
打音検出装置と、前記打音検出装置とネットワークを介して接続する通報判断サーバとで実行される通報方法であって、
前記打音検出装置は、
圧力の変化を電圧値に変換する圧電センサによって検知した前記電圧値から打音の発生時刻を検出する打音検出ステップと、
前記打音検出ステップによって検出した前記打音の発生時刻を、ネットワークを介し接続する前記通報判断サーバに送信する第１送信ステップと、を含み、
前記通報判断サーバは、
前記打音の発生時刻を前記打音検出装置から受信する受信ステップと、
前記受信ステップによって受信した前記打音の発生時刻が予め定められた判断条件に合致するか否かを判断する判断ステップと、
前記判断ステップによって前記打音の発生時刻が前記判断条件に合致すると判断した場合、通報情報を通報先に送信する第２送信ステップと、を含むことを特徴とする通報方法。
【請求項６】
圧力の変化を電圧値に変換する圧電センサを備える打音検出装置に、
前記圧電センサによって検知した前記電圧値から打音の発生時刻を検出する打音検出ステップと、
前記打音検出ステップによって検出した前記打音の発生時刻を、ネットワークを介し接続する通報判断サーバに送信する第１送信ステップと、を実行させ、
前記打音検出装置とネットワークを介して接続する前記通報判断サーバに、
前記打音の発生時刻を前記打音検出装置から受信する受信ステップと、
前記受信ステップによって受信した前記打音の発生時刻が予め定められた判断条件に合致するか否かを判断する判断ステップと、
前記判断ステップによって前記打音の発生パターンが前記判断条件に合致すると判断した場合、通報情報を通報先に送信する第２送信ステップと、
を実行させることを特徴とする通報プログラム。
【発明の詳細な説明】
【技術分野】
【０００１】
本発明は、通報システム、通報方法および通報プログラムに関する。
【背景技術】
【０００２】
近年一人暮らしの高齢者や長時間一人になることが多い高齢者が体調を崩した場合に緊急事態を通報する見守りシステムが数多く開発され提供されている。このような見守りシステムは、通報ボタンを寝室や居間に設置したりペンダント型の通報ボタンを対象者が身につけることによって、対象者が通報ボタンを押下すると見守りセンター等に対象者の緊急事態を通報する仕組みとなっている。しかし、このようなシステムは、通報ボタンに手が届かない場所で体調が悪くなると通報ボタンを押下することができず、またペンダント型の通報ボタンであっても身につけること自体を忘れた場合や浴室で体調が変化した場合に通報することができないという問題があった。このような問題を解決するために、対象者に負担を掛けることなく対象者の生体情報や存在情報を親局側でモニタする健康状態監視システムが開示されている（特許文献１参照）。
【先行技術文献】
【特許文献】
【０００３】
【特許文献１】特開2004-154310号公報
【発明の概要】
【発明が解決しようとする課題】
【０００４】
しかしながら、上述の特許文献１に記載された健康状態監視システムは、対象者が使用する生活機器や対象者が存在する建造物の床等に取り付けられた圧力センサによって対象者の発する情報を取得するため、対象者がどのような場所に居ても情報を検知するには、あらゆる場所に圧力センサを設置する必要があり、一般的な家庭等で実用化することは難しかった。
【０００５】
本発明は、上記に鑑みてなされたものであり、対象者の存在する場所を限定することも対象者が特定の機器を身につける必要もなく、簡易な設備で対象者の発する情報を通報することができる通報システムおよび通報方法、通報プログラムを提供することを目的とする。
【課題を解決するための手段】
【０００６】
上述した課題を解決するために、本発明では、圧電センサが圧力の変化を電圧値に変換し、打音検出装置が圧電センサによって検知した電圧値から打音の発生時刻を検出し、通信装置が検出した打音の発生時刻を通報判断サーバに送信し、通報判断サーバが受信した打音の発生時刻が予め定められた判断条件に合致するか否かを判断し、打音の発生時刻が判断条件に合致すると判断した場合、通報情報を通報先に送信することを特徴とする。
【発明の効果】
【０００７】
上記のように構成した本発明によれば、広い監視領域での空気の振動から打音を検出し、検出した打音から通報が必要であるか否かを判断できるため、対象者の存在する場所を限定することも対象者が特定の機器を身につける必要もなく、簡易な設備で対象者の発する情報を通報することができるという効果を奏する。
【図面の簡単な説明】
【０００８】
【図１】本実施例にかかる通報システム１０の構成を示すブロック図である。
【図２】圧電センサ１００の形状および物理的構成を示す説明図である。
【図３】打音検出装置２００の構成を示す説明図である。
【図４】圧電センサ１００が出力する電気信号（電圧値）の一例を示すグラフである。
【図５】圧電センサ１００と打音検出装置２００と通信装置３００で実行する打音検出・送信処理手順を示すフローチャートである。
【図６】通報判断サーバ４００が実行する通報判断処理手順を示すフローチャートである。
【発明を実施するための形態】
【０００９】
以下、添付図面を参照し本発明の実施例を説明する。なお、以下の説明は、実施の形態の一例であり、本発明はこれらの実施例に限定されるものではない。
【００１０】
図１は、本実施例にかかる通報システム１０の構成を示すブロック図である。図１に示すように、通報システム１０は、圧電センサ１００と、打音検出装置２００と、通信装置３００と、通報判断サーバ４００とを備える。圧電センサ１００と、打音検出装置２００と、通信装置３００は、例えば高齢者の自宅等の監視対象領域１に設置する。図１では、簡便に示すため、圧電センサ１００と打音検出装置２００は、それぞれ１つずつの構成としているが、１つに限る必要はなく、監視対象領域１に複数の圧電センサ１００を設置し打音検出装置２００に接続してもよい。また、打音検出装置２００は、圧電センサ１００ごとに設置してもよい。通信装置３００と通報判断サーバ４００は、ネットワークＮを介して互いに通信可能に接続する。ネットワークＮは、インターネット、イントラネット、ＬＡＮ（Local Area Network）、移動体通信網等の通信ネットワークであり、一部または全部を有線あるいは無線で接続する。
【００１１】
図２は、圧電センサ１００の形状および物理的構成を示す説明図である。圧電センサ１００は、圧力の変化を電気信号に変換するセンサであり、本実施例で使用する圧電センサは、センサに直接または間接的に接する固体（例えば人の手や身体等）や液体が加える力によって圧力が変化した場合に圧力の変化を検知するほか、気体である空気が振動することによって生じる圧力の変化も検知することができる。また、圧電センサ１００は、図２に示すように平面状や半円筒状（半分に限らず一部が開いた状態のものや円筒も含む）、その他自由な大きさや形で使用することができる。圧電センサ１００は、電極（表面）２１と電極（裏面）２２が後述するエレクトレットシート２５を両面から積層する構成となっている。
【００１２】
次に圧電センサ１００の断面（内部）の模式図を示す。かかる模式図を用い、電圧センサ１００の原理を説明する。圧電センサ１００は、ポリマーフォーム２３にプラスやマイナスに帯電した荷電気泡２４を内包し、ポリマーフォーム２３の表面と裏面のそれぞれを電極２１、２２で積層する。プラスやマイナスに帯電した荷電気泡２４を内包したポリマーフォーム２３は、エレクトレットシート２５といい、加圧していない場合は荷電気泡２４に多くの電荷が残留している。
【００１３】
圧電センサ１００に圧力が加わった場合は、圧電センサ１００の表面から受けた圧力（空気の振動）で荷電気泡２４が変形することによって電位差が生じ、生じた電位差を電気信号（電圧値）として検出する。すなわち、電気信号（電圧値）の大きさによって空気の振動の大きさを測定することができる。本実施例の圧電センサ１００を構成するエレクトレットシート２５は、平均厚みが９０〜１５０μmで、発泡倍率が３．５〜９倍、ゲル分率が３０〜５０重量％である、帯電したプロピレン系樹脂発泡シートであり、そのプロピレン系樹脂発泡シートは、重量平均分子量が370,000〜420,000であるプロピレン−α−オレフィンランダム共重合体の架橋体を６０重量％以上含有する樹脂組成物を含んでいる。
【００１４】
このような構成を採ることによって、荷電気泡２４は微弱な振動によっても変形し、通常検知することが難しい打音が空気を振動させるような微弱な圧力の変化を検知することができる。また圧電センサ１００は、上述した組成のエレクトレットシートとアルミニウム膜による電極で構成されているため、折曲可能で柔軟性・耐圧性があり変形に強く、例えば図２に示すように長方形のシートを曲げて半円筒状に成型し監視対象領域１の端部に設置することができる。なお、圧電センサ１００で曲面を形成し部屋の隅に設置するような場合、圧電センサ１００の横幅をＷ（ｃｍ）とすると、曲率半径Ｒは、４Ｗ／２π＜Ｒ＜４Ｗ／２π＋２の程度の範囲とすることが望ましい。これにより、１つの圧電センサ１００で広い領域の打音を検知することができる。また、柔軟性があり軽いため、監視対象領域１内の物品、例えば植木鉢や柱等に貼り付けることもできる。
【００１５】
打音検出装置２００は、打音検出装置全体の動作を制御するマイコンであり、ＣＰＵ(Central Processing Unit)、ＲＡＭ(Random Access Memory)、ＲＯＭ(Read Only Memory)等により構成され、メモリに記憶されたプログラムに応じて各種処理を行う。打音検出装置２００は、圧電センサ１００の出力する電気信号（電圧値）が打音であるか否かを判断し、打音であると判断した場合に打音の発生時刻を通知装置３００に出力する。本実施の形態での打音とは、持続時間が１ミリ秒未満のパルス状の信号である。図３は、打音検出装置２００の構成を示す説明図である。図３に示すように、打音検出装置２００は、フィルタ部２０１と、打音判断部２０２と、タイマ部２０３と、基準値記憶部２１０とを備える。
【００１６】
図４は、圧電センサ１００が出力する電気信号（電圧値）の一例を示すグラフである。圧電センサ１００で検知した電圧値は、図４に示すような電気信号として打音検出装置２００に入力される。打音検出装置２００では、まず入力した電圧値のうちの打音か否かの判断に支障をきたす雑音成分を後述するフィルタ部２０１で除去する。打音判断部２０２は、フィルタ部２０１で整形した電圧値の変化が打音か否かを判断する。図４で示すと、打音判断部２０２は、図４の丸で示す部分を打音と判断し、三角で示す部分を打音以外の音声と判断する。すなわち、電圧値変化４１のような電圧値の急峻な変化（グラフでは鋭角なピークとして現れる変化）を、対象者が外部への通報を求める拍手や壁・床を手や杖等で叩く打音であると判断し、電圧値変化４２が示すような電圧値のピークが連続するような電圧値の変化は、打音以外の大きな声や音楽などの音声であると判断する。
【００１７】
さらに打音検出装置２００の各部について説明する。基準値記憶部２１０は、打音判断部２０２での打音を判断するための基準値を記憶する。より具体的には基準値記憶部２１０は、フィルタ部２０１から出力する電気信号（電圧値）を計測する間隔を定める計測時間、計測する回数を定めるサンプル数、サンプル数の電圧値の平均値が打音の可能性がある電圧値であるか否かを判断するための閾値、閾値以上の電圧値が継続する時間によって打音であるか否かと判断するための継続時間等を記憶する。なお、基準値記憶部２１０に記憶する各基準値は、監視対象領域１の状況に合わせ調整した値を記憶する。
【００１８】
フィルタ部２０１は、圧電センサ１００から入力する生の電圧値を打音判断部２０２で打音か否かの判断が可能なデータに整形する。フィルタ部２０１は、さらに作動増幅器２０１１、ハイパスフィルタ２０１２、ローパスフィルタ２０１３、増幅回路２０１４、ノッチフィルタ２０１５を備える。
【００１９】
作動増幅器２０１１は、圧電センサ１００が出力する微弱な電気信号を増幅する。圧電センサ１００の表裏２点間の電位差を増幅することで、表裏両面に同時に重畳する雑音（電源からの誘導雑音等）を除去する。ハイパスフィルタ２０１２は、低周波成分（例えば０．３Ｈｚ未満）をカットする。特にドリフト成分（０ｍＶ前後のゆれ）のようなゆるやかな電気信号を除去する。
【００２０】
ローパスフィルタ２０１３は、高周波成分（例えば１．５ｋＨｚ超）をカットする。特に非定常的な雑音成分（例えば雷、スイッチのＯＮ／ＯＦＦ、回路中の熱雑音等）を除去する。ただし、打音は除去されず透過することを実証実験で確認している。増幅回路２０１４は、上述の各部で整形した電気信号を十分に増幅する。ノッチフィルタ２０１５は、商用電源による雑音をカットする。商用電源による雑音は各所で混入するため、最後の処理で最終的にカットする。
【００２１】
打音判断部２０２は、フィルタ部２０１で整形された電気信号から打音の発生時刻を検出する。より具体的には、打音判断部２０２は、フィルタ部２０１で整形された電気信号の変化が鋭角なピークを有するか否かで打音であるか否かを判断し、打音であると判断した場合は打音の発生時刻を通知装置３００に出力する。
【００２２】
タイマ部２０３は、圧電センサ１００から出力した電気信号（電圧値）を、打音判断部２０２が打音であると判断した場合の打音の発生時刻を計時する。
【００２３】
通信装置３００は、打音検出装置２００とネットワークＮとを接続するいわゆるネットワーク接続機器であり、打音検出装置２００の打音判断部２０２が判断した打音の発生時刻をネットワークＮを介して接続する通報判断サーバ４００に送信する。
【００２４】
通報判断サーバ４００は、ＣＰＵやＲＡＭ、ＲＯＭ、ネットワークに接続して通信を行う通信Ｉ／Ｆ、ＨＤＤ（Hard Disk Drive）等の外部記憶装置等を備えた通常のコンピュータであり、通信装置３００から受信した監視対象領域１の打音の発生時刻が、通報を必要とする打音パターンに合致しているか否かを判断し、合致している場合に通報情報を通報先に送信する。通報判断サーバ４００は、判断条件記憶部４１０と、打音情報記憶部４２０と、対象者情報記憶部４３０と、送受信部４０１と、通報判断部４０２と、通報情報生成部４０３とを備える。
【００２５】
判断条件記憶部４１０は、通報を必要とする打音パターンを記憶する。通報を必要とする打音パターンとは、例えば２秒以内の間隔で打音が３回以上連続する等の対象者が外部への通報を意図していると判断可能な判断条件である。判断条件記憶部４１０は、対象者識別情報と、打音パターンとを対応付けて記憶することによって、対象者ごとに異なる打音パターンとしてもよい。
【００２６】
打音情報記憶部４２０は、対象者識別情報と打音の検出時刻を格納する記憶部である。打音情報記憶部４２０は、監視対象領域１の通信装置３００から送信される対象者識別情報と打音の検出時刻を受信するごとに、対象者識別情報と打音の検出時刻とを対応付けて記憶する。
【００２７】
対象者情報記憶部４３０は、監視対象である対象者に関する情報を記憶する。対象者情報記憶部４３０は、対象者を識別する対象者識別情報と、通知先と、対象者氏名等の通報に必要な対象者情報とを対応付けて記憶する。通知先としては、対象者の家族や近所の見守り担当者のほか、緊急事態に対応する見守りセンターや行政機関等を記憶する。
【００２８】
送受信部４０１は、ネットサークＮを介し通信装置３００や通知先５００との間でデータを送受信する。送受信部４０１は、通信装置３００から対象者識別情報と打音の発生時刻を受信し打音情報記憶部４２０に格納する。送受信部４０１は、通報情報を通報先５００に送信する。
【００２９】
通報判断部４０２は、打音情報記憶部４２０に記憶する、対象者ごとの打音の発生時刻が判断条件記憶部４１０に記憶する対象者識別情報に対応付けられた打音パターンと合致するか否か、すなわち通報が必要か否かを判断する。
【００３０】
通報情報生成部４０３は、対象者識別情報に対応付けられた通知先を対象者情報記憶部４３０から取得し、取得した通知先に送信する通報情報を生成する。通報情報は、例えば通知先５００（具体的には、サーバやタブレット端末、スマートフォン、携帯電話等）に送信するメールやプッシュ通知、通知先５００の装置で動作するアプリケーションプログラムに対する通報情報の表示命令等である。
【００３１】
上述のように構成された通報システム１０の圧電センサ１００と打音検出装置２００と通信装置３００で実行する打音検出・送信処理について説明する。図５は、圧電センサ１００と打音検出装置２００と通信装置３００で実行する打音検出・送信処理手順を示すフローチャートである。まず、圧電センサ１００は、図２に示す荷電気泡２４が圧力の変化で振動することによって検知する電圧値を打音検出装置２００のフィルタ部２０１に対し常時出力し、打音検出装置２００のフィルタ部２０１は、入力した電圧値を整形（フィルタリング）し打音判断部２０２に出力する。
【００３２】
打音検出装置２００の打音判断部２０２は、基準値記憶部２１０に記憶する各種基準値を読込む（ステップＳ５０１）。具体的には、フィルタ部２０１から出力した電圧値を読込む頻度であるサンプリングレート（例えばサンプリングレート：５ｋＨｚ、すなわち割込み時間：０．２ｍ秒）や、電圧値の平均を取るためのサンプル数（例えば１０）、打音の可能性がある電圧値か否かを判断するための閾値（例えば１００ｍＶ）、打音であるか否かを判断するための電圧値の継続時間（例えば０．1秒）を読込む。
【００３３】
打音判断部２０２は、タイマ部２０３が計時した現在時刻が計測時刻であるか否かを判断する（ステップＳ５０２）。具体的には、前回の電圧値の読込み時刻から割込み時間が経過したか否かを判断する。現在時刻が計測時刻であると判断した場合（ステップＳ５０２：Ｙｅｓ）、フィルタ部２０１から出力する電圧値を読込む（ステップＳ５０３）。打音判断部２０２は、読込んだ電圧値を図示しない記憶部（以下バッファという）に格納する（ステップＳ５０４）。現在時刻が計測時刻でないと判断した場合（ステップＳ５０２：Ｎｏ）、ステップＳ５０２に戻る。
【００３４】
打音判断部２０２は、バッファに所定数の電圧値を格納したか否かを判断する（ステップＳ５０５）。バッファに所定数の電圧値を格納していないと判断した場合（ステップＳ５０５：Ｎｏ）、ステップＳ５０２に戻る。バッファに所定数の電圧値を格納したと判断した場合（ステップＳ５０５：Ｙｅｓ）、打音判断部２０２は、バッファに格納する電圧値の平均値を算出する（ステップＳ５０６）。
【００３５】
打音判断部２０２は、電圧値の平均値が閾値以上であるか否かを判断する（ステップＳ５０７）。電圧値の平均値が閾値以上であると判断した場合（ステップＳ５０７：Ｙｅｓ）、打音である可能性があるため、検出時刻を図示しない記憶部に格納する（ステップＳ５０８）。電圧値の平均値が閾値以上でないと判断した場合（ステップＳ５０７：Ｎｏ）、検出時刻を記憶部に格納することなく、ステップＳ５０９に進む。
【００３６】
打音判断部２０２は、電圧値の平均値が閾値以上である期間が所定期間継続したか否かを判断する（ステップＳ５０９）。具体的には、記憶部に格納した打音の検出時刻が所定期間連続して格納されているか否かで判断する。電圧値の平均値が閾値以上である期間が所定期間継続しないと判断した場合（ステップＳ５０９：Ｎｏ）、電圧値が閾値を超え、かつ、閾値を超える期間が所定の期間以内である、すなわち電圧値の変化が急峻であることから、監視対象領域内で打音が発生していると判断する。電圧値の急峻な変化は、図４のグラフでは電圧値変化４１のように示される。打音であると判断した場合、記憶部に格納する検出時刻を打音の検出時刻として通信装置３００に出力し、通信装置３００は、打音の検出時刻と、通信装置３００に記憶する対象者識別情報を通報判断サーバ４００に送信する（ステップＳ５１０）。なお、対象者識別情報は、対象者を特定できる情報であればどのようなものでもよく、通信装置３００のＩＰアドレス（Internet Protocol address）等でもよい。その後、ステップＳ５０２に戻り、さらに計測時刻にフィルタ部２０１から出力する電圧値を読込む。
【００３７】
電圧値の平均値が閾値以上である期間が所定期間継続すると判断する場合（ステップＳ５０９：Ｙｅｓ）、すなわち打音ではなく音声であると判断する場合は、ステップＳ５０２に戻り、さらに計測時刻にフィルタ部２０１から出力する電圧値を読込む。
【００３８】
次に、通報システム１０の通報判断サーバ４００で実行する通報判断処理について説明する。図６は、通報判断サーバ４００が実行する通報判断処理手順を示すフローチャートである。
【００３９】
通報判断サーバ４００の送受信部４０１は、打音検出時刻と対象者識別情報を通信装置３００から受信する（ステップＳ６０１）。送受信部４０１は、打音検出時刻と対象者識別情報を打音情報記憶部４２０に格納する（ステップＳ６０２）。通報判断部４０２は、判断条件記憶部４１０に記憶する、対象者識別情報に対応付けられた打音パターンを取得する（ステップＳ６０３）。
【００４０】
通報判断部４０２は、対象者識別情報ごとの打音検出時刻記憶部４２０に記憶する打音検出時刻と、打音パターンが合致するか否かを判断する（ステップＳ６０４）。
【００４１】
打音検出時刻と打音パターンが合致すると判断した場合（ステップＳ６０４：Ｙｅｓ）、通報情報生成部４０３は通報情報を生成する（ステップＳ６０５）。より具体的には、通報情報生成部４０３は、対象者識別情報に対応付けられた通報先および対象者名等の対象者情報を対象者情報記憶部４３０から取得し、取得した通報先に送信する通報情報を生成する。送受信部４０１は、通報情報を通報先に送信する（ステップＳ６０６）。打音検出時刻と打音パターンが合致しないと判断した場合（ステップＳ６０４：Ｎｏ）、ステップＳ６０１に戻り、通信装置３００から送信される打音検出時刻と対象者識別情報を受信する。
【００４２】
このように、監視対象領域１において圧電センサ１００で広く打音を検知することができるため、対象者の存在する場所に限定されることもなく、対象者が特定の機器を身につける必要なく、１または複数の圧電センサ１００と打音検知装置２００と通信装置３００という簡易な設備で、対象者の意志を示す対象者の発する情報を外部に通報することができる。
【００４３】
また、対象者や訪問者の発する音声をマイクロフォンで集音することなく通報が必要か否かを判断することができるため、日常の会話を録音することがなく、プライバシーを侵害する心配がない。また、精度の高い圧電センサ１００から出力する電気信号を的確なフィルタリングと打音判断処理によって、対象者が発する打音をもれなく検出することができ、さらに打音パターンによって対象者が意図しない通報を排除することができるため、対象者に対する適切な見守りを実施することができる。
【００４４】
上述した実施例にかかる圧電センサ１００、打音検出装置２００、通信装置３００、通報判断サーバ４００の物理的な構成、ハードウェア構成は、上述した通りであり、打音検出装置２００、通信装置３００、通報判断サーバ４００は、ＲＯＭやＲＡＭ、ＨＤＤ等に記憶されたプログラムをＣＰＵが読み出し動作させることによって、上述した構成や機能を実現する。
【００４５】
打音検出装置２００、通信装置３００、通報判断サーバ４００で動作するプログラムは、インターネット等のネットワークに接続されたコンピュータ上に格納しておき、ネットワーク経由でダウンロードさせることにより提供したり、インストール可能な形式又は実行可能な形式のファイルでＣＤ−ＲＯＭ、ＤＶＤ、ＵＳＢメモリ、ＳＤカード等のコンピュータで読取り可能な記録媒体に記録し提供してもよい。また、上述した機能や処理を実現するプログラムの全部または一部は、ＡＰＩ（Application Programming Interface）やＳａａＳ（Software as a Service）、クラウドコンピューティングという利用形態で提供してもよい。
【００４６】
なお、本発明は、上述した実施例そのままに限定されるものではなく、必ずしも物理的に図示のように構成されている必要はない。また、本発明は、実施例で説明した構成要素の全部または一部を、各種の負荷や使用状況などに応じ、任意の単位で機能的または物理的に分割、統合、入替、変形または削除して構成することができる。
【符号の説明】
【００４７】
Ｎ…ネットワーク、１０…通報システム、１００…圧電センサ、２００…打音検出装置、２０１…フィルタ部、２０１１…作動増幅器、２０１２…ハイパスフィルタ、２０１３…ローパスフィルタ、２０１４…増幅回路、２０１５…ノッチフィルタ、２０２…打音判断部、２０３…タイマ部、２１０…基準値記憶部、３００…通信装置、４００…通報判断サーバ、４０１…送受信部、４０２…通報判断部、４０３…通報情報生成部、４１０…判断条件記憶部、４２０…打音情報記憶部、４３０…対象者情報記憶部、５００…通報先
【図１】
2018088047.tif 000003
【図２】
2018088047.tif 000004
【図３】
2018088047.tif 000005
【図４】
2018088047.tif 000006
【図５】
2018088047.tif 000007
【図６】
2018088047.tif 000008